(57)【特許請求の範囲】
【請求項１】
画像処理装置のアドレス情報を変換した二次元コードを取得する二次元コード取得手段と、
前記二次元コード取得手段により取得した二次元コードを解析し、該二次元コードに画像処理装置のＩＰアドレス情報が含まれているかどうかを判断するアドレス情報判断手段と、
前記アドレス情報判断手段により、前記二次元コードにＩＰアドレス情報が含まれていると判断された場合は、ネットワークを介してそのＩＰアドレスの画像処理装置に接続する接続手段と、
前記接続手段により接続された画像処理装置から、該画像処理装置のＭＩＢ情報を取得するＭＩＢ情報取得手段と、
自装置にインストールされた前記画像処理装置操作用のアプリケーションの実行により、前記接続手段により接続された画像処理装置を自装置から使用可能か否かを、前記ＭＩＢ情報取得手段により取得したＭＩＢ情報に基づいて判断すると共に、使用可能と判断した場合に限り前記画像処理装置を使用するための情報を登録する登録手段と、
を備え、
前記二次元コードには画像処理装置のＭＡＣアドレス情報が含まれると共に、前記ＭＩＢ情報取得手段により取得したＭＩＢ情報にはＭＡＣアドレス情報が含まれ、
前記二次元コードに含まれるＭＡＣアドレス情報と前記ＭＩＢ情報に含まれるＭＡＣアドレス情報とを比較する比較手段を備えたことを特徴とする携帯端末装置。
【請求項２】
画像処理装置のアドレス情報を変換した二次元コードを取得する二次元コード取得手段と、
前記二次元コード取得手段により取得した二次元コードを解析し、該二次元コードに画像処理装置のＩＰアドレス情報が含まれているかどうかを判断するアドレス情報判断手段と、
前記アドレス情報判断手段により、前記二次元コードにＩＰアドレス情報が含まれていると判断された場合は、ネットワークを介してそのＩＰアドレスの画像処理装置に接続する接続手段と、
前記接続手段により接続された画像処理装置から、該画像処理装置のＭＩＢ情報を取得するＭＩＢ情報取得手段と、
自装置にインストールされた前記画像処理装置操作用のアプリケーションの実行により、前記接続手段により接続された画像処理装置を自装置から使用可能か否かを、前記ＭＩＢ情報取得手段により取得したＭＩＢ情報に基づいて判断すると共に、使用可能と判断した場合に限り前記画像処理装置を使用するための情報を登録する登録手段と、
を備え、
前記アドレス情報判断手段による二次元コードの解析及び該二次元コードに画像処理装置のＩＰアドレス情報が含まれているかどうかの判断処理から、前記登録手段による画像処理装置を自装置から使用可能か否かの判断処理までの各処理は、ユーザー操作を介することなく自動で行われることを特徴とする携帯端末装置。
【請求項３】
画像処理装置のアドレス情報を変換した二次元コードを取得する二次元コード取得手段と、
前記二次元コード取得手段により取得した二次元コードを解析し、該二次元コードに画像処理装置のＩＰアドレス情報が含まれているかどうかを判断するアドレス情報判断手段と、
前記アドレス情報判断手段により、前記二次元コードにＩＰアドレス情報が含まれていると判断された場合は、ネットワークを介してそのＩＰアドレスの画像処理装置に接続する接続手段と、
前記接続手段により接続された画像処理装置から、該画像処理装置のＭＩＢ情報を取得するＭＩＢ情報取得手段と、
自装置にインストールされた前記画像処理装置操作用のアプリケーションの実行により、前記接続手段により接続された画像処理装置を自装置から使用可能か否かを、前記ＭＩＢ情報取得手段により取得したＭＩＢ情報に基づいて判断すると共に、使用可能と判断した場合に限り前記画像処理装置を使用するための情報を登録する登録手段と、
表示手段と、
前記アドレス情報判断手段による二次元コードの解析が不可能な場合は、二次元コードが取得された前記画像処理装置のＩＰアドレスをユーザーが手動入力するためのＩＰアドレス入力画面を前記表示手段に表示させる表示制御手段と、
を備え、
前記ＩＰアドレス入力画面にユーザーによりＩＰアドレスが入力された場合は、前記接続手段は、ネットワークを介してそのＩＰアドレスの画像処理装置に接続し、前記ＭＩＢ情報取得手段は、前記接続された画像処理装置から該画像処理装置のＭＩＢ情報を取得し、前記登録手段は、前記アプリケーションの実行により前記画像処理装置を自装置から使用可能か否かを、前記ＭＩＢ情報に基づいて判断すると共に、使用可能と判断した場合に限り該画像処理装置を使用するための情報を登録することを特徴とする携帯端末装置。
【請求項４】
表示手段と、
前記二次元コードに含まれるＭＡＣアドレス情報と前記ＭＩＢ情報に含まれるＭＡＣアドレス情報とを前記比較手段で比較した結果、これらのＭＡＣアドレス情報が異なる場合、前記二次元コードに対応する画像処理装置のＩＰアドレスが変更されていることを示すメッセージを前記表示手段に表示させる表示制御手段と、
を備えている請求項１に記載の携帯端末装置。
【請求項５】
表示手段と、
前記登録手段による登録時に前記ＭＩＢ情報の少なくとも一部を前記表示手段に表示させる表示制御手段と、
を備えている請求項１または２に記載の携帯端末装置。
【請求項６】
前記表示制御手段は、前記登録手段による登録時に前記ＭＩＢ情報の少なくとも一部を前記表示手段に表示させる請求項３または４に記載の携帯端末装置。
【請求項７】
前記二次元コードに含まれるＭＡＣアドレス情報と前記ＭＩＢ情報に含まれるＭＡＣアドレス情報とを前記比較手段で比較した結果、これらのＭＡＣアドレス情報が異なる場合、二次元コードに含まれるＩＰアドレスの各桁のうちネットワークアドレス部を固定しホスト部を変更した複数のＩＰアドレスの範囲内で、二次元コードに含まれるＭＡＣアドレスと同一のＭＡＣアドレスをＭＩＢ情報に有する画像処理装置を検索する検索手段と、
前記検索手段により、二次元コードに含まれるＭＡＣアドレスと同一のＭＡＣアドレスをＭＩＢ情報に有する画像処理装置が検索された場合は、前記検索された画像処理装置のＩＰアドレス情報を含む二次元コードを生成可能な二次元コード生成手段と、
生成された二次元コードを印刷するための印刷ジョブを発行する印刷ジョブ発行手段と、
を備えている請求項１または４に記載の携帯端末装置。
【請求項８】
画像処理装置のアドレス情報を変換した二次元コードを取得する二次元コード取得ステップと、
前記二次元コード取得ステップにおいて取得した二次元コードを解析し、該二次元コードに画像処理装置のＩＰアドレス情報が含まれているかどうかを判断するアドレス情報判断ステップと、
前記アドレス情報判断ステップにおいて、前記二次元コードにＩＰアドレス情報が含まれていると判断された場合は、ネットワークを介してそのＩＰアドレスの画像処理装置に接続する接続ステップと、
前記接続ステップにおいて接続された画像処理装置から、該画像処理装置のＭＩＢ情報を取得するＭＩＢ情報取得ステップと、
自装置にインストールされた前記画像処理装置操作用のアプリケーションの実行により、前記接続ステップにおいて接続された画像処理装置を自装置から使用可能か否かを、前記ＭＩＢ情報取得ステップにおいて取得したＭＩＢ情報に基づいて判断すると共に、使用可能と判断した場合に限り前記画像処理装置を使用するための情報を登録する登録ステップと、
を備え、
前記二次元コードには画像処理装置のＭＡＣアドレス情報が含まれると共に、前記ＭＩＢ情報取得ステップにより取得したＭＩＢ情報にはＭＡＣアドレス情報が含まれ、
前記二次元コードに含まれるＭＡＣアドレス情報と前記ＭＩＢ情報に含まれるＭＡＣアドレス情報とを比較する比較ステップを備えたことを特徴とする携帯端末装置における画像処理装置の登録方法。
【請求項９】
画像処理装置のアドレス情報を変換した二次元コードを取得する二次元コード取得ステップと、
前記二次元コード取得ステップにおいて取得した二次元コードを解析し、該二次元コードに画像処理装置のＩＰアドレス情報が含まれているかどうかを判断するアドレス情報判断ステップと、
前記アドレス情報判断ステップにおいて、前記二次元コードにＩＰアドレス情報が含まれていると判断された場合は、ネットワークを介してそのＩＰアドレスの画像処理装置に接続する接続ステップと、
前記接続ステップにおいて接続された画像処理装置から、該画像処理装置のＭＩＢ情報を取得するＭＩＢ情報取得ステップと、
自装置にインストールされた前記画像処理装置操作用のアプリケーションの実行により、前記接続ステップにおいて接続された画像処理装置を自装置から使用可能か否かを、前記ＭＩＢ情報取得ステップにおいて取得したＭＩＢ情報に基づいて判断すると共に、使用可能と判断した場合に限り前記画像処理装置を使用するための情報を登録する登録ステップと、
を備え、
前記アドレス情報判断ステップにおける二次元コードの解析及び該二次元コードに画像処理装置のＩＰアドレス情報が含まれているかどうかの判断処理から、前記登録ステップによる画像処理装置を自装置から使用可能か否かの判断処理までの各処理は、ユーザー操作を介することなく自動で行われることを特徴とする携帯端末装置における画像処理装置の登録方法。
【請求項１０】
画像処理装置のアドレス情報を変換した二次元コードを取得する二次元コード取得ステップと、
前記二次元コード取得ステップにおいて取得した二次元コードを解析し、該二次元コードに画像処理装置のＩＰアドレス情報が含まれているかどうかを判断するアドレス情報判断ステップと、
前記アドレス情報判断ステップにおいて、前記二次元コードにＩＰアドレス情報が含まれていると判断された場合は、ネットワークを介してそのＩＰアドレスの画像処理装置に接続する接続ステップと、
前記接続ステップにおいて接続された画像処理装置から、該画像処理装置のＭＩＢ情報を取得するＭＩＢ情報取得ステップと、
自装置にインストールされた前記画像処理装置操作用のアプリケーションの実行により、前記接続ステップにおいて接続された画像処理装置を自装置から使用可能か否かを、前記ＭＩＢ情報取得ステップにおいて取得したＭＩＢ情報に基づいて判断すると共に、使用可能と判断した場合に限り前記画像処理装置を使用するための情報を登録する登録ステップと、
前記アドレス情報判断ステップによる二次元コードの解析が不可能な場合は、二次元コードが取得された前記画像処理装置のＩＰアドレスをユーザーが手動入力するためのＩＰアドレス入力画面を表示手段に表示させる表示制御ステップと、
を備え、
前記ＩＰアドレス入力画面にユーザーによりＩＰアドレスが入力された場合は、前記接続ステップでは、ネットワークを介してそのＩＰアドレスの画像処理装置に接続し、前記ＭＩＢ情報取得ステップでは、前記接続された画像処理装置から該画像処理装置のＭＩＢ情報を取得し、前記登録ステップでは、前記アプリケーションの実行により前記画像処理装置を自装置から使用可能か否かを、前記ＭＩＢ情報に基づいて判断すると共に、使用可能と判断した場合に限り該画像処理装置を使用するための情報を登録することを特徴とする携帯端末装置における画像処理装置の登録方法。
【請求項１１】
画像処理装置のアドレス情報を変換した二次元コードを取得する二次元コード取得ステップと、
前記二次元コード取得ステップにおいて取得した二次元コードを解析し、該二次元コードに画像処理装置のＩＰアドレス情報が含まれているかどうかを判断するアドレス情報判断ステップと、
前記アドレス情報判断ステップにおいて、前記二次元コードにＩＰアドレス情報が含まれていると判断された場合は、ネットワークを介してそのＩＰアドレスの画像処理装置に接続する接続ステップと、
前記接続ステップにおいて接続された画像処理装置から、該画像処理装置のＭＩＢ情報を取得するＭＩＢ情報取得ステップと、
自装置にインストールされた前記画像処理装置操作用のアプリケーションの実行により、前記接続ステップにおいて接続された画像処理装置を自装置から使用可能か否かを、前記ＭＩＢ情報取得ステップにおいて取得したＭＩＢ情報に基づいて判断すると共に、使用可能と判断した場合に限り前記画像処理装置を使用するための情報を登録する登録ステップと、
を携帯端末装置のコンピュータに実行させ、
前記二次元コードには画像処理装置のＭＡＣアドレス情報が含まれると共に、前記ＭＩＢ情報取得ステップにより取得したＭＩＢ情報にはＭＡＣアドレス情報が含まれ、
前記二次元コードに含まれるＭＡＣアドレス情報と前記ＭＩＢ情報に含まれるＭＡＣアドレス情報とを比較する比較ステップを、前記コンピュータに実行させるための画像処理装置の登録プログラム。
【請求項１２】
画像処理装置のアドレス情報を変換した二次元コードを取得する二次元コード取得ステップと、
前記二次元コード取得ステップにおいて取得した二次元コードを解析し、該二次元コードに画像処理装置のＩＰアドレス情報が含まれているかどうかを判断するアドレス情報判断ステップと、
前記アドレス情報判断ステップにおいて、前記二次元コードにＩＰアドレス情報が含まれていると判断された場合は、ネットワークを介してそのＩＰアドレスの画像処理装置に接続する接続ステップと、
前記接続ステップにおいて接続された画像処理装置から、該画像処理装置のＭＩＢ情報を取得するＭＩＢ情報取得ステップと、
自装置にインストールされた前記画像処理装置操作用のアプリケーションの実行により、前記接続ステップにおいて接続された画像処理装置を自装置から使用可能か否かを、前記ＭＩＢ情報取得ステップにおいて取得したＭＩＢ情報に基づいて判断すると共に、使用可能と判断した場合に限り前記画像処理装置を使用するための情報を登録する登録ステップと、
を携帯端末装置のコンピュータに実行させ、
前記アドレス情報判断ステップにおける二次元コードの解析及び該二次元コードに画像処理装置のＩＰアドレス情報が含まれているかどうかの判断処理から、前記登録ステップにおける画像処理装置を自装置から使用可能か否かの判断処理までの各処理を、ユーザー操作を介することなく前記コンピュータに自動で実行させるための画像処理装置の登録プログラム。
【請求項１３】
画像処理装置のアドレス情報を変換した二次元コードを取得する二次元コード取得ステップと、
前記二次元コード取得ステップにおいて取得した二次元コードを解析し、該二次元コードに画像処理装置のＩＰアドレス情報が含まれているかどうかを判断するアドレス情報判断ステップと、
前記アドレス情報判断ステップにおいて、前記二次元コードにＩＰアドレス情報が含まれていると判断された場合は、ネットワークを介してそのＩＰアドレスの画像処理装置に接続する接続ステップと、
前記接続ステップにおいて接続された画像処理装置から、該画像処理装置のＭＩＢ情報を取得するＭＩＢ情報取得ステップと、
自装置にインストールされた前記画像処理装置操作用のアプリケーションの実行により、前記接続ステップにおいて接続された画像処理装置を自装置から使用可能か否かを、前記ＭＩＢ情報取得ステップにおいて取得したＭＩＢ情報に基づいて判断すると共に、使用可能と判断した場合に限り前記画像処理装置を使用するための情報を登録する登録ステップと、
前記アドレス情報判断ステップによる二次元コードの解析が不可能な場合は、二次元コードが取得された前記画像処理装置のＩＰアドレスをユーザーが手動入力するためのＩＰアドレス入力画面を表示手段に表示させる表示制御ステップと、
を携帯端末装置のコンピュータに実行させ、
前記ＩＰアドレス入力画面にユーザーによりＩＰアドレスが入力された場合は、前記接続ステップでは、ネットワークを介してそのＩＰアドレスの画像処理装置に接続し、前記ＭＩＢ情報取得ステップでは、前記接続された画像処理装置から該画像処理装置のＭＩＢ情報を取得し、前記登録ステップでは、前記アプリケーションの実行により前記画像処理装置を自装置から使用可能か否かを、前記ＭＩＢ情報に基づいて判断すると共に、使用可能と判断した場合に限り該画像処理装置を使用するための情報を登録する処理を、前記コンピュータに実行させるための画像処理装置の登録プログラム。
【請求項１４】
前記二次元コードに含まれるＭＡＣアドレス情報と前記ＭＩＢ情報に含まれるＭＡＣアドレス情報とを前記比較ステップにおいて比較した結果、これらのＭＡＣアドレス情報が異なる場合、前記二次元コードに対応する画像処理装置のＩＰアドレスが変更されていることを示すメッセージを表示手段に表示させる表示制御ステップを、前記コンピュータにさらに実行させる請求項１１に記載の画像処理装置の登録プログラム。
【請求項１５】
前記登録ステップにおける登録時に前記ＭＩＢ情報の少なくとも一部を表示手段に表示させる表示制御ステップを前記コンピュータにさらに実行させる請求項１１または１２に記載の画像処理装置の登録プログラム。
【請求項１６】
前記表示制御ステップでは、前記登録ステップにおける登録時に前記ＭＩＢ情報の少なくとも一部を前記表示手段に表示させる処理を前記コンピュータに実行させる請求項１３または１４に記載の画像処理装置の登録プログラム。
【請求項１７】
前記二次元コードに含まれるＭＡＣアドレス情報と前記ＭＩＢ情報に含まれるＭＡＣアドレス情報とを前記比較ステップにおいて比較した結果、これらのＭＡＣアドレス情報が異なる場合、二次元コードに含まれるＩＰアドレスの各桁のうちネットワークアドレス部を固定しホスト部を変更した複数のＩＰアドレスの範囲内で、二次元コードに含まれるＭＡＣアドレスと同一のＭＡＣアドレスをＭＩＢ情報に有する画像処理装置を検索する検索ステップと、
前記検索ステップにおいて、二次元コードに含まれるＭＡＣアドレスと同一のＭＡＣアドレスをＭＩＢ情報に有する画像処理装置が検索された場合は、前記検索された画像処理装置のＩＰアドレス情報を含む二次元コードを生成する二次元コード生成ステップと、
生成された二次元コードを印刷するための印刷ジョブを発行する印刷ジョブ発行ステップと、
を、前記コンピュータにさらに実行させる請求項１１または１４に記載の画像処理装置の登録プログラム。
【発明の詳細な説明】
【技術分野】
【０００１】
この発明は、スマートフォン、タブレット端末等の携帯端末装置、同装置で実行される画像処理装置の登録方法及び登録プログラムに関する。
【背景技術】
【０００２】
近年、携帯端末装置のカメラにより画像処理装置に貼付された二次元コードである例えばＱＲ（Quick Response）コード（登録商標）を撮影した後、前記撮影した二次元コードを解析して画像処理装置のアドレス情報を抽出するとともに、抽出したアドレス情報の画像形成装置を携帯端末装置へ登録し、携帯端末装置から画像処理装置を操作するためにインストールされたアプリケーションに基づいて印刷ジョブ等を作成し、前記登録した画像処理装置に印刷ジョブ等を投入する技術が既に知られている（例えば特許文献１、特許文献２参照）。
【先行技術文献】
【特許文献】
【０００３】
【特許文献１】特開２００６−１０６３号公報
【特許文献２】特開２００７−３４４４３号公報
【発明の概要】
【発明が解決しようとする課題】
【０００４】
しかし、登録された画像処理装置が、携帯端末装置にインストールされた画像処理装置操作用のアプリケーションに対応していない機種であったり、画像処理装置が故障している場合のように、画像処理装置を携帯端末装置から使用できない状態であっても、従来では登録が可能であった。このため、使用できないが登録されている画像処理装置に携帯端末装置からジョブを発行しても、所望の印刷物を得ることができないという問題が発生していた。
【０００５】
この発明は、このような問題を解消するためになされたものであり、二次元コードから抽出されたＩＰアドレスの画像処理装置が携帯端末装置から使用できる場合に限り、画像処理装置についての登録を行えるようにした携帯端末装置及び該携帯端末装置における画像処理装置の登録方法を提供し、更には前記登録方法を携帯端末装置のコンピュータに実行させるための登録プログラムを提供することを課題としている。
【課題を解決するための手段】
【０００６】
上記課題は、以下の手段によって解決される。
（１）画像処理装置のアドレス情報を変換した二次元コードを取得する二次元コード取得手段と、前記二次元コード取得手段により取得した二次元コードを解析し、該二次元コードに画像処理装置のＩＰアドレス情報が含まれているかどうかを判断するアドレス情報判断手段と、前記アドレス情報判断手段により、前記二次元コードにＩＰアドレス情報が含まれていると判断された場合は、ネットワークを介してそのＩＰアドレスの画像処理装置に接続する接続手段と、前記接続手段により接続された画像処理装置から、該画像処理装置のＭＩＢ情報を取得するＭＩＢ情報取得手段と、自装置にインストールされた前記画像処理装置操作用のアプリケーションの実行により、前記接続手段により接続された画像処理装置を自装置から使用可能か否かを、前記ＭＩＢ情報取得手段により取得したＭＩＢ情報に基づいて判断すると共に、使用可能と判断した場合に限り前記画像処理装置を使用するための情報を登録する登録手段と、を備え、前記二次元コードには画像処理装置のＭＡＣアドレス情報が含まれると共に、前記ＭＩＢ情報取得手段により取得したＭＩＢ情報にはＭＡＣアドレス情報が含まれ、前記二次元コードに含まれるＭＡＣアドレス情報と前記ＭＩＢ情報に含まれるＭＡＣアドレス情報とを比較する比較手段を備えたことを特徴とする携帯端末装置。
（２）画像処理装置のアドレス情報を変換した二次元コードを取得する二次元コード取得手段と、前記二次元コード取得手段により取得した二次元コードを解析し、該二次元コードに画像処理装置のＩＰアドレス情報が含まれているかどうかを判断するアドレス情報判断手段と、前記アドレス情報判断手段により、前記二次元コードにＩＰアドレス情報が含まれていると判断された場合は、ネットワークを介してそのＩＰアドレスの画像処理装置に接続する接続手段と、前記接続手段により接続された画像処理装置から、該画像処理装置のＭＩＢ情報を取得するＭＩＢ情報取得手段と、自装置にインストールされた前記画像処理装置操作用のアプリケーションの実行により、前記接続手段により接続された画像処理装置を自装置から使用可能か否かを、前記ＭＩＢ情報取得手段により取得したＭＩＢ情報に基づいて判断すると共に、使用可能と判断した場合に限り前記画像処理装置を使用するための情報を登録する登録手段と、を備え、前記アドレス情報判断手段による二次元コードの解析及び該二次元コードに画像処理装置のＩＰアドレス情報が含まれているかどうかの判断処理から、前記登録手段による画像処理装置を自装置から使用可能か否かの判断処理までの各処理は、ユーザー操作を介することなく自動で行われることを特徴とする携帯端末装置。
（３）画像処理装置のアドレス情報を変換した二次元コードを取得する二次元コード取得手段と、前記二次元コード取得手段により取得した二次元コードを解析し、該二次元コードに画像処理装置のＩＰアドレス情報が含まれているかどうかを判断するアドレス情報判断手段と、前記アドレス情報判断手段により、前記二次元コードにＩＰアドレス情報が含まれていると判断された場合は、ネットワークを介してそのＩＰアドレスの画像処理装置に接続する接続手段と、前記接続手段により接続された画像処理装置から、該画像処理装置のＭＩＢ情報を取得するＭＩＢ情報取得手段と、自装置にインストールされた前記画像処理装置操作用のアプリケーションの実行により、前記接続手段により接続された画像処理装置を自装置から使用可能か否かを、前記ＭＩＢ情報取得手段により取得したＭＩＢ情報に基づいて判断すると共に、使用可能と判断した場合に限り前記画像処理装置を使用するための情報を登録する登録手段と、表示手段と、前記アドレス情報判断手段による二次元コードの解析が不可能な場合は、二次元コードが取得された前記画像処理装置のＩＰアドレスをユーザーが手動入力するためのＩＰアドレス入力画面を前記表示手段に表示させる表示制御手段と、を備え、前記ＩＰアドレス入力画面にユーザーによりＩＰアドレスが入力された場合は、前記接続手段は、ネットワークを介してそのＩＰアドレスの画像処理装置に接続し、前記ＭＩＢ情報取得手段は、前記接続された画像処理装置から該画像処理装置のＭＩＢ情報を取得し、前記登録手段は、前記アプリケーションの実行により前記画像処理装置を自装置から使用可能か否かを、前記ＭＩＢ情報に基づいて判断すると共に、使用可能と判断した場合に限り該画像処理装置を使用するための情報を登録することを特徴とする携帯端末装置。
（４）表示手段と、前記二次元コードに含まれるＭＡＣアドレス情報と前記ＭＩＢ情報に含まれるＭＡＣアドレス情報とを前記比較手段で比較した結果、これらのＭＡＣアドレス情報が異なる場合、前記二次元コードに対応する画像処理装置のＩＰアドレスが変更されていることを示すメッセージを前記表示手段に表示させる表示制御手段と、を備えている前項１に記載の携帯端末装置。
（５）表示手段と、前記登録手段による登録時に前記ＭＩＢ情報の少なくとも一部を前記表示手段に表示させる表示制御手段と、を備えている前項１または２に記載の携帯端末装置。
（６）前記表示制御手段は、前記登録手段による登録時に前記ＭＩＢ情報の少なくとも一部を前記表示手段に表示させる前項３または４に記載の携帯端末装置。
（７）前記二次元コードに含まれるＭＡＣアドレス情報と前記ＭＩＢ情報に含まれるＭＡＣアドレス情報とを前記比較手段で比較した結果、これらのＭＡＣアドレス情報が異なる場合、二次元コードに含まれるＩＰアドレスの各桁のうちネットワークアドレス部を固定しホスト部を変更した複数のＩＰアドレスの範囲内で、二次元コードに含まれるＭＡＣアドレスと同一のＭＡＣアドレスをＭＩＢ情報に有する画像処理装置を検索する検索手段と、前記検索手段により、二次元コードに含まれるＭＡＣアドレスと同一のＭＡＣアドレスをＭＩＢ情報に有する画像処理装置が検索された場合は、前記検索された画像処理装置のＩＰアドレス情報を含む二次元コードを生成可能な二次元コード生成手段と、生成された二次元コードを印刷するための印刷ジョブを発行する印刷ジョブ発行手段と、を備えている前項１または４に記載の携帯端末装置。
（８）画像処理装置のアドレス情報を変換した二次元コードを取得する二次元コード取得ステップと、前記二次元コード取得ステップにおいて取得した二次元コードを解析し、該二次元コードに画像処理装置のＩＰアドレス情報が含まれているかどうかを判断するアドレス情報判断ステップと、前記アドレス情報判断ステップにおいて、前記二次元コードにＩＰアドレス情報が含まれていると判断された場合は、ネットワークを介してそのＩＰアドレスの画像処理装置に接続する接続ステップと、前記接続ステップにおいて接続された画像処理装置から、該画像処理装置のＭＩＢ情報を取得するＭＩＢ情報取得ステップと、自装置にインストールされた前記画像処理装置操作用のアプリケーションの実行により、前記接続ステップにおいて接続された画像処理装置を自装置から使用可能か否かを、前記ＭＩＢ情報取得ステップにおいて取得したＭＩＢ情報に基づいて判断すると共に、使用可能と判断した場合に限り前記画像処理装置を使用するための情報を登録する登録ステップと、を備え、前記二次元コードには画像処理装置のＭＡＣアドレス情報が含まれると共に、前記ＭＩＢ情報取得ステップにより取得したＭＩＢ情報にはＭＡＣアドレス情報が含まれ、前記二次元コードに含まれるＭＡＣアドレス情報と前記ＭＩＢ情報に含まれるＭＡＣアドレス情報とを比較する比較ステップを備えたことを特徴とする携帯端末装置における画像処理装置の登録方法。
（９）画像処理装置のアドレス情報を変換した二次元コードを取得する二次元コード取得ステップと、前記二次元コード取得ステップにおいて取得した二次元コードを解析し、該二次元コードに画像処理装置のＩＰアドレス情報が含まれているかどうかを判断するアドレス情報判断ステップと、前記アドレス情報判断ステップにおいて、前記二次元コードにＩＰアドレス情報が含まれていると判断された場合は、ネットワークを介してそのＩＰアドレスの画像処理装置に接続する接続ステップと、前記接続ステップにおいて接続された画像処理装置から、該画像処理装置のＭＩＢ情報を取得するＭＩＢ情報取得ステップと、自装置にインストールされた前記画像処理装置操作用のアプリケーションの実行により、前記接続ステップにおいて接続された画像処理装置を自装置から使用可能か否かを、前記ＭＩＢ情報取得ステップにおいて取得したＭＩＢ情報に基づいて判断すると共に、使用可能と判断した場合に限り前記画像処理装置を使用するための情報を登録する登録ステップと、を備え、前記アドレス情報判断ステップにおける二次元コードの解析及び該二次元コードに画像処理装置のＩＰアドレス情報が含まれているかどうかの判断処理から、前記登録ステップによる画像処理装置を自装置から使用可能か否かの判断処理までの各処理は、ユーザー操作を介することなく自動で行われることを特徴とする携帯端末装置における画像処理装置の登録方法。
（１０）画像処理装置のアドレス情報を変換した二次元コードを取得する二次元コード取得ステップと、前記二次元コード取得ステップにおいて取得した二次元コードを解析し、該二次元コードに画像処理装置のＩＰアドレス情報が含まれているかどうかを判断するアドレス情報判断ステップと、前記アドレス情報判断ステップにおいて、前記二次元コードにＩＰアドレス情報が含まれていると判断された場合は、ネットワークを介してそのＩＰアドレスの画像処理装置に接続する接続ステップと、前記接続ステップにおいて接続された画像処理装置から、該画像処理装置のＭＩＢ情報を取得するＭＩＢ情報取得ステップと、自装置にインストールされた前記画像処理装置操作用のアプリケーションの実行により、前記接続ステップにおいて接続された画像処理装置を自装置から使用可能か否かを、前記ＭＩＢ情報取得ステップにおいて取得したＭＩＢ情報に基づいて判断すると共に、使用可能と判断した場合に限り前記画像処理装置を使用するための情報を登録する登録ステップと、前記アドレス情報判断ステップによる二次元コードの解析が不可能な場合は、二次元コードが取得された前記画像処理装置のＩＰアドレスをユーザーが手動入力するためのＩＰアドレス入力画面を表示手段に表示させる表示制御ステップと、を備え、前記ＩＰアドレス入力画面にユーザーによりＩＰアドレスが入力された場合は、前記接続ステップでは、ネットワークを介してそのＩＰアドレスの画像処理装置に接続し、前記ＭＩＢ情報取得ステップでは、前記接続された画像処理装置から該画像処理装置のＭＩＢ情報を取得し、前記登録ステップでは、前記アプリケーションの実行により前記画像処理装置を自装置から使用可能か否かを、前記ＭＩＢ情報に基づいて判断すると共に、使用可能と判断した場合に限り該画像処理装置を使用するための情報を登録することを特徴とする携帯端末装置における画像処理装置の登録方法。
（１１）画像処理装置のアドレス情報を変換した二次元コードを取得する二次元コード取得ステップと、前記二次元コード取得ステップにおいて取得した二次元コードを解析し、該二次元コードに画像処理装置のＩＰアドレス情報が含まれているかどうかを判断するアドレス情報判断ステップと、前記アドレス情報判断ステップにおいて、前記二次元コードにＩＰアドレス情報が含まれていると判断された場合は、ネットワークを介してそのＩＰアドレスの画像処理装置に接続する接続ステップと、前記接続ステップにおいて接続された画像処理装置から、該画像処理装置のＭＩＢ情報を取得するＭＩＢ情報取得ステップと、自装置にインストールされた前記画像処理装置操作用のアプリケーションの実行により、前記接続ステップにおいて接続された画像処理装置を自装置から使用可能か否かを、前記ＭＩＢ情報取得ステップにおいて取得したＭＩＢ情報に基づいて判断すると共に、使用可能と判断した場合に限り前記画像処理装置を使用するための情報を登録する登録ステップと、を携帯端末装置のコンピュータに実行させ、前記二次元コードには画像処理装置のＭＡＣアドレス情報が含まれると共に、前記ＭＩＢ情報取得ステップにより取得したＭＩＢ情報にはＭＡＣアドレス情報が含まれ、前記二次元コードに含まれるＭＡＣアドレス情報と前記ＭＩＢ情報に含まれるＭＡＣアドレス情報とを比較する比較ステップを、前記コンピュータに実行させるための画像処理装置の登録プログラム。
（１２）画像処理装置のアドレス情報を変換した二次元コードを取得する二次元コード取得ステップと、前記二次元コード取得ステップにおいて取得した二次元コードを解析し、該二次元コードに画像処理装置のＩＰアドレス情報が含まれているかどうかを判断するアドレス情報判断ステップと、前記アドレス情報判断ステップにおいて、前記二次元コードにＩＰアドレス情報が含まれていると判断された場合は、ネットワークを介してそのＩＰアドレスの画像処理装置に接続する接続ステップと、前記接続ステップにおいて接続された画像処理装置から、該画像処理装置のＭＩＢ情報を取得するＭＩＢ情報取得ステップと、自装置にインストールされた前記画像処理装置操作用のアプリケーションの実行により、前記接続ステップにおいて接続された画像処理装置を自装置から使用可能か否かを、前記ＭＩＢ情報取得ステップにおいて取得したＭＩＢ情報に基づいて判断すると共に、使用可能と判断した場合に限り前記画像処理装置を使用するための情報を登録する登録ステップと、を携帯端末装置のコンピュータに実行させ、前記アドレス情報判断ステップにおける二次元コードの解析及び該二次元コードに画像処理装置のＩＰアドレス情報が含まれているかどうかの判断処理から、前記登録ステップにおける画像処理装置を自装置から使用可能か否かの判断処理までの各処理を、ユーザー操作を介することなく前記コンピュータに自動で実行させるための画像処理装置の登録プログラム。
（１３）画像処理装置のアドレス情報を変換した二次元コードを取得する二次元コード取得ステップと、前記二次元コード取得ステップにおいて取得した二次元コードを解析し、該二次元コードに画像処理装置のＩＰアドレス情報が含まれているかどうかを判断するアドレス情報判断ステップと、前記アドレス情報判断ステップにおいて、前記二次元コードにＩＰアドレス情報が含まれていると判断された場合は、ネットワークを介してそのＩＰアドレスの画像処理装置に接続する接続ステップと、前記接続ステップにおいて接続された画像処理装置から、該画像処理装置のＭＩＢ情報を取得するＭＩＢ情報取得ステップと、自装置にインストールされた前記画像処理装置操作用のアプリケーションの実行により、前記接続ステップにおいて接続された画像処理装置を自装置から使用可能か否かを、前記ＭＩＢ情報取得ステップにおいて取得したＭＩＢ情報に基づいて判断すると共に、使用可能と判断した場合に限り前記画像処理装置を使用するための情報を登録する登録ステップと、前記アドレス情報判断ステップによる二次元コードの解析が不可能な場合は、二次元コードが取得された前記画像処理装置のＩＰアドレスをユーザーが手動入力するためのＩＰアドレス入力画面を表示手段に表示させる表示制御ステップと、を携帯端末装置のコンピュータに実行させ、前記ＩＰアドレス入力画面にユーザーによりＩＰアドレスが入力された場合は、前記接続ステップでは、ネットワークを介してそのＩＰアドレスの画像処理装置に接続し、前記ＭＩＢ情報取得ステップでは、前記接続された画像処理装置から該画像処理装置のＭＩＢ情報を取得し、前記登録ステップでは、前記アプリケーションの実行により前記画像処理装置を自装置から使用可能か否かを、前記ＭＩＢ情報に基づいて判断すると共に、使用可能と判断した場合に限り該画像処理装置を使用するための情報を登録する処理を、前記コンピュータに実行させるための画像処理装置の登録プログラム。
（１４）前記二次元コードに含まれるＭＡＣアドレス情報と前記ＭＩＢ情報に含まれるＭＡＣアドレス情報とを前記比較ステップにおいて比較した結果、これらのＭＡＣアドレス情報が異なる場合、前記二次元コードに対応する画像処理装置のＩＰアドレスが変更されていることを示すメッセージを表示手段に表示させる表示制御ステップを、前記コンピュータにさらに実行させる前項１１に記載の画像処理装置の登録プログラム。
（１５）前記登録ステップにおける登録時に前記ＭＩＢ情報の少なくとも一部を表示手段に表示させる表示制御ステップを前記コンピュータにさらに実行させる前項１１または１２に記載の画像処理装置の登録プログラム。
（１６）前記表示制御ステップでは、前記登録ステップにおける登録時に前記ＭＩＢ情報の少なくとも一部を前記表示手段に表示させる処理を前記コンピュータに実行させる前項１３または１４に記載の画像処理装置の登録プログラム。
（１７）前記二次元コードに含まれるＭＡＣアドレス情報と前記ＭＩＢ情報に含まれるＭＡＣアドレス情報とを前記比較ステップにおいて比較した結果、これらのＭＡＣアドレス情報が異なる場合、二次元コードに含まれるＩＰアドレスの各桁のうちネットワークアドレス部を固定しホスト部を変更した複数のＩＰアドレスの範囲内で、二次元コードに含まれるＭＡＣアドレスと同一のＭＡＣアドレスをＭＩＢ情報に有する画像処理装置を検索する検索ステップと、前記検索ステップにおいて、二次元コードに含まれるＭＡＣアドレスと同一のＭＡＣアドレスをＭＩＢ情報に有する画像処理装置が検索された場合は、前記検索された画像処理装置のＩＰアドレス情報を含む二次元コードを生成する二次元コード生成ステップと、生成された二次元コードを印刷するための印刷ジョブを発行する印刷ジョブ発行ステップと、を、前記コンピュータにさらに実行させる前項１１または１４に記載の画像処理装置の登録プログラム。
【発明の効果】
【０００７】
前項（１）に記載の発明によれば、二次元コード取得手段により取得した二次元コードにＩＰアドレス情報が含まれている場合は、ネットワークを介してそのＩＰアドレスの画像処理装置に接続し、該画像処理装置のＭＩＢ情報を取得する。そして、自装置にインストールされた画像処理装置操作用のアプリケーションの実行により、前記画像処理装置を自装置から使用可能か否かを、取得したＭＩＢ情報に基づいて判断し、使用可能と判断した場合に限り前記画像処理装置を使用するための情報を登録する。つまり、画像処理装置が前記アプリケーションに対応していない機種であったり故障している場合には、取得したＭＩＢ情報から画像処理装置を使用できないと判断され、携帯端末装置への登録は行われないから、使用できない画像処理装置を携帯端末装置に登録してしまう不都合を回避することができる。
【０００８】
また、二次元コードに含まれるＭＡＣアドレス情報とＭＩＢ情報に含まれるＭＡＣアドレス情報とを比較できるから、例えば二次元コードが付された画像処理装置のＩＰアドレスが変更されているかどうかの判断等が可能となる。
前項（２）に記載の発明によれば、二次元コードの解析及び該二次元コードに画像処理装置のＩＰアドレス情報が含まれているかどうかの判断処理から、画像処理装置を自装置から使用可能か否かの判断処理までの各処理を、ユーザー操作を介することなく自動で行うことができる。
前項（３）に記載の発明によれば、二次元コードの解析が不可能な場合は、ユーザーがＩＰアドレスを手動入力するためのＩＰアドレス入力画面が表示され、この画面にユーザーによりＩＰアドレスが入力された場合は、撮影等により二次元コードが取得された場合と同じ処理経路で、ネットワークを介してそのＩＰアドレスの画像処理装置に接続され、画像処理装置からＭＩＢ情報が取得され、アプリケーションの実行により画像処理装置を自装置から使用可能か否かが、ＭＩＢ情報に基づいて判断される。このため、手動入力の場合と撮影入力等の場合とで別々の構成を用意する必要はなく、その分携帯端末装置の構成を簡素化できる。
【０００９】
前項（４）に記載の発明によれば、二次元コードに含まれるＭＡＣアドレス情報とＭＩＢ情報に含まれるＭＡＣアドレス情報が異なる場合は、二次元コードに対応する画像処理装置のＩＰアドレスが変更されていることを示すメッセージが表示されるから、ユーザーは例えば二次元コードが付された画像処理装置のＩＰアドレスが変更されていることを認識できる。
【００１０】
前項（５）及び（６）に記載の発明によれば、画像処理装置の登録時にＭＩＢ情報の少なくとも一部が表示されるから、ユーザーは表示された情報を確認することができる。
前項（７）に記載の発明によれば、二次元コードに含まれるＭＡＣアドレス情報とＭＩＢ情報に含まれるＭＡＣアドレス情報が異なる場合は、二次元コードに含まれるＩＰアドレスの各桁のうちネットワークアドレス部を固定しホスト部を変更した複数のＩＰアドレスの範囲内で、二次元コードに含まれるＭＡＣアドレスと同一のＭＡＣアドレスをＭＩＢ情報に有する画像処理装置が検索され、この検索された画像処理装置のＩＰアドレス情報を含む二次元コードが生成され、さらに生成された二次元コードを印刷するための印刷ジョブが発行されるから、ユーザーは、例えば二次元コードが付されている画像処理装置のＩＰアドレスが変更されていても、変更後のＩＰアドレスを含む新たな二次元コードを印刷して、付け替えることができる。
【００１４】
前項（８）に記載の発明によれば、画像処理装置が前記アプリケーションに対応していない機種であったり故障している場合には、取得したＭＩＢ情報から画像処理装置を使用できないと判断され、携帯端末装置への登録は行われないから、使用できない画像処理装置についての情報を携帯端末装置に登録してしまう不都合を回避することができる。
【００１５】
前項（１１）に記載の発明によれば、自装置にインストールされた画像処理装置操作用のアプリケーションの実行により、画像処理装置を自装置から使用可能か否かを、取得したＭＩＢ情報に基づいて判断し、使用可能と判断した場合に限り前記画像処理装置を使用するための情報を登録する処理を、携帯端末装置のコンピュータに実行させることができる。
【００１６】
また、二次元コードに含まれるＭＡＣアドレス情報とＭＩＢ情報に含まれるＭＡＣアドレス情報とを比較する処理を、携帯端末装置のコンピュータに実行させることができる。
前項（１２）に記載の発明によれば、二次元コードの解析及び該二次元コードに画像処理装置のＩＰアドレス情報が含まれているかどうかの判断処理から、画像処理装置を自装置から使用可能か否かの判断処理までの各処理を、ユーザー操作を介することなく自動でコンピュータに実行させることができる。
前項（１３）に記載の発明によれば、二次元コードの解析が不可能な場合は、ユーザーがＩＰアドレスを手動入力するためのＩＰアドレス入力画面を表示し、この画面にユーザーによりＩＰアドレスが入力された場合は、撮影等により二次元コードが取得された場合と同じ処理経路で、ネットワークを介してそのＩＰアドレスの画像処理装置に接続し、画像処理装置からＭＩＢ情報を取得し、アプリケーションの実行により画像処理装置を自装置から使用可能か否かを、ＭＩＢ情報に基づいて判断する処理を、携帯端末装置のコンピュータに実行させることができる。
【００１７】
前項（１４）に記載の発明によれば、二次元コードに含まれるＭＡＣアドレス情報とＭＩＢ情報に含まれるＭＡＣアドレス情報が異なる場合は、二次元コードに対応する画像処理装置のＩＰアドレスが変更されていることを示すメッセージを表示する処理を、携帯端末装置のコンピュータに実行させることができる。
【００１８】
前項（１５）及び（１６）に記載の発明によれば、画像処理装置の登録時にＭＩＢ情報の少なくとも一部を表示する処理を、携帯端末装置のコンピュータに実行させることができる。
前項（１７）に記載の発明によれば、二次元コードに含まれるＭＡＣアドレス情報とＭＩＢ情報に含まれるＭＡＣアドレス情報が異なる場合は、二次元コードに含まれるＩＰアドレスの各桁のうちネットワークアドレス部を固定しホスト部を変更した複数のＩＰアドレスの範囲内で、二次元コードに含まれるＭＡＣアドレスと同一のＭＡＣアドレスをＭＩＢ情報に有する画像処理装置を検索し、この検索された画像処理装置のＩＰアドレス情報を含む二次元コードを生成し、さらに生成された二次元コードを印刷するための印刷ジョブを発行する処理を、携帯端末装置のコンピュータに実行させることができる。
【図面の簡単な説明】
【００２２】
【図１】この発明の一実施形態に係る携帯端末装置と画像処理装置を備えた画像処理装置登録システムの構成図である。
【図２】携帯端末装置の電気的な構成を示すブロック図である。
【図３】二次元コードの作成用画面を示す図である。
【図４】携帯端末装置の動作を示すフローチャートである。
【図５】図４のフローチャートの続きを示す図である。
【図６】二次元コードが規定のフォーマットで作成されていない場合に表示される画面図である。
【図７】画像処理装置が保有しているＭＩＢ情報を示す表である。
【図８】二次元コード内のＩＰアドレスの画像処理装置のＭＩＢ情報から取得されたＭＡＣアドレスと、二次元コード内のＭＡＣアドレスが異なる場合で、二次元コード内のＭＡＣアドレスと同じＭＡＣアドレスの画像処理装置が存在する場合に表示される画面図である。
【図９】二次元コード内のＩＰアドレスの画像処理装置のＭＩＢ情報から取得されたＭＡＣアドレスと、二次元コード内のＭＡＣアドレスが異なる場合で、二次元コード内のＭＡＣアドレスと同じＭＡＣアドレスの画像処理装置が存在しない場合に表示される画面図である。
【発明を実施するための形態】
【００２３】
以下、この発明の実施形態を図面に基づいて説明する。
【００２４】
図１は、この発明の一実施形態に係る携帯端末装置と画像処理装置を備えた画像処理装置登録システムの構成図である。
【００２５】
このシステムは、スマートフォンやタブレット端末等からなる携帯端末装置１と、１台または複数台の画像処理装置２と、ウェブサーバ３とパーソナルコンピュータ４等を備え、これらが有線あるいは無線によるネットワーク５を介して相互に接続されている。
【００２６】
この実施形態では、前記画像処理装置２として、コピー機能、プリンタ機能、ファクシミリ機能、スキャン機能等の複数の機能を複合した多機能デジタル画像形成装置であるＭＦＰ（Multi Function Peripherals）が用いられている。以下の説明では、画像処理装置をＭＦＰと記すこともある。
【００２７】
図２は、前記携帯端末装置１の電気的な構成を示すブロック図である。
【００２８】
携帯端末装置１は、ＣＰＵ１１と、ＲＯＭ１２と、ＲＡＭ１３と、記憶部１４と、表示部１５と、タッチパネル１６と、通信インターフェース（通信ＩＦ）１７と、撮像部１８等を備えている。
【００２９】
前記ＣＰＵ１１は、搭載されているＯＳ、各種のデータ処理用のアプリケーション、ＭＦＰ２を操作するためのアプリケーション等に基づいて、携帯端末装置１の全体を統括的に制御するが、具体的な制御内容については後述する。
【００３０】
前記ＲＯＭ１２は、前記ＣＰＵ１１の動作プログラム等が格納されているメモリであり、ＲＡＭ１３は、前記ＣＰＵ１１が動作プログラムを実行する際の作業領域を提供するメモリである。
【００３１】
前記記憶部１４は、前記ＯＳ、アプリケーション、その他のデータを保存するメモリである。
【００３２】
表示部１５は、ユーザーの操作やメッセージの表示等に使用されるものであり、液晶等により構成されている。また、タッチパネル１６は表示部１５の画面上に設けられ、ユーザーのタッチ操作を検出して、タッチされた座標等を特定するものである。
【００３３】
前記通信インターフェース１７は、電話回線を通じて通話を行ったり、アクセスポイントを介して無線通信によりＭＦＰ２、ウェブサーバ３等とデータの送受を行うためのものである。
【００３４】
前記撮像部１８は、図示しない撮影カメラを備え、ＭＦＰ２に貼付された例えばＱＲコード（登録商標）等の二次元コードやその他の被写体を撮影するものである。
【００３５】
ＭＦＰ２に貼付されたＱＲコード（登録商標）は、ＭＦＰ２のアドレス情報を変換した二次元コードの一例である。ＭＦＰ２のアドレス情報として、この実施形態では、ＭＦＰ２のＩＰ（Internet Protocol）アドレス、ＤＨＣＰ（Dynamic Host Configuration Protocol）時に使用するＭＦＰのホスト名（ＤＮＳ（Domain Name System）名）、ＭＦＰ２のサブネットマスク情報、ＭＦＰ２のＭＡＣ（Media Access Control）アドレス情報が含まれている。
【００３６】
二次元コードは、ＭＦＰ２自身によって作成されたものであっても良いし、Ｗｅｂ上のアプリケーションで作成されても良いし、パーソナルコンピュータ上のアプリケーションで作成されても良いし、携帯端末装置１のアプリケーションで作成されても良い。図３は、例えばコンピュータの表示装置に表示された二次元コードの作成用画面Ｄ１を示す。ユーザーがＩＰＶ４アドレス、ＩＰＶ６アドレス、ＤＮＳ名、ＭＡＣアドレス等を入力して生成ボタン２０を操作すると、二次元コード３０が生成される。
【００３７】
なお、この実施形態では、生成された二次元コードが印刷され、ＭＦＰ２に貼付されていて、携帯端末装置１の撮像部１８で二次元コードを撮影することにより携帯端末装置１が二次元コードを取得する例を示すが、コンピュータ等で生成された二次元コードを携帯端末装置１のアプリケーションに直接に渡すことで、携帯端末装置１が二次元コードを取得する構成であっても良い。
【００３８】
次に、携帯端末装置１の動作を図４のフローチャートを参照して説明する。
【００３９】
携帯端末装置１には、撮影された二次元コードを解析してＭＦＰ２を登録でき、かつＭＦＰ１を操作して印刷ジョブ等をＭＦＰ２に発行できるアプリケーションが既にインストールされている。そして、図４のフローチャートに示される動作は、携帯端末装置１のＣＰＵ１１が前記アプリケーション等に従って動作することにより実行される。なお、ＭＦＰ２の登録については、具体的には、ＭＦＰ２の名称等を登録しても良いし、ＭＦＰ２を使用するための情報を登録すれば良い。
【００４０】
ユーザーが前記アプリケーションを開くと、表示部１５に開始ボタンが表示され、操作待ちとなる（ステップＳ０１でＮＯ）。ユーザーが開始ボタンを操作すると（ステップＳ０１でＹＥＳ）、二次元コードの撮影待ちとなる（ステップＳ０２でＮＯ）。ユーザーが撮像部１８によりＭＦＰ２に貼付された二次元コードを撮影すると（ステップＳ０２でＹＥＳ）、ステップＳ０３で、携帯端末装置１は入力された二次元コードを解析し、二次元コードは規定のフォーマットで作成されているかどうかを判断する。
【００４１】
二次元コードが規定のフォーマットで作成されていなければ（ステップＳ０３でＮＯ）、ステップＳ１４に進み、図６に示すように、「対応外の二次元コードのため読み取りできません。ＩＰアドレスを入力して下さい。」というメッセージと、ＩＰアドレスの入力爛１５１と、「完了」ボタン１５２と「キャンセル」ボタン１５３を有する画面Ｄ２を表示部１５に表示する。
【００４２】
ステップＳ１５では、ＩＰアドレスが入力されるのを待ち（ステップＳ１５でＮＯ）、ＩＰアドレスが入力され、「完了」ボタン１５２が押されると（ステップＳ１５でＹＥＳ）、図５のステップＳ１７に進む。なお、「キャンセル」ボタン１５３が押されると、処理を終了する。
【００４３】
ステップＳ０３で、二次元コードが規定のフォーマットで作成されていれば（ステップＳ０３でＹＥＳ）、ステップＳ０４で、二次元コード内にＩＰアドレス情報が含まれているかどうかを判断する。ＩＰアドレス情報としてはＩＰアドレスそのものでも良いし、ＩＰアドレスに対応するＤＮＳ名でも良いし、それらのうちの少なくともいずれか一方が含まれていれば良い。
【００４４】
二次元コード内にＩＰアドレス情報が含まれていなければ（ステップＳ０４でＮＯ）、ステップＳ１６で、二次元コード内にＩＰアドレス情報が含まれていないことを示すメッセージと、ＩＰアドレスの入力爛と、「完了」ボタンと「キャンセル」ボタンが表示された画面を表示部１５に表示したのち、ステップＳ１５に進む。
【００４５】
ステップＳ０４において、二次元コード内にＩＰアドレス情報が含まれていれば（ステップＳ０４でＹＥＳ）、ステップＳ０５で、二次元コード内にＭＡＣアドレス情報が存在しているかどうかを判断する。存在していれば（ステップＳ０５でＹＥＳ）、ステップＳ０６に進む。存在していなければ（ステップＳ０５でＮＯ）、ステップＳ１７に進む。
【００４６】
ステップＳ０６では、ＩＰアドレス情報で示されるＩＰアドレスのＭＦＰ２に接続し、ＭＦＰ２の管理情報であるＭＩＢ（Management Information Base）情報の中からＭＡＣアドレス情報を取得する。
【００４７】
図７にＭＦＰ２が保有しているＭＩＢ情報を示す。この実施形態では、ＭＩＢ情報として、ＩＰＶ４アドレス、ＩＰＶ６アドレス、ＤＮＳ名、ＭＡＣアドレス、プリンタ言語情報、ＳｙｓＯＩＤ（オブジェクトＩＤ）、ステータス情報、オプション情報、ＤＨＣＰ設定、モデル名及び装置名についての各情報が規定されている。ＳｙｓＯＩＤ（オブジェクトＩＤ）はＭＦＰの機種を特定するためのＩＤであり、ステータス情報は例えば用紙切れ、サービスマンエラー等のＭＦＰ２の現在の状態を示す情報であり、オプション情報はＡＤＦ等のオプション装置の情報である。また、ＤＨＣＰ設定はＯＮまたはＯＦＦで示され、ＤＨＣＰ設定がＯＮの場合は、ＭＦＰのＩＰアドレスが固定されておらず、ＤＨＣＰ設定がＯＦＦの場合は、ＭＦＰのＩＰアドレスが固定されていることが示されている。
【００４８】
ステップＳ０６では、ＭＩＢ情報の中からＭＡＣアドレス情報を取得するが、この段階でＭＡＣアドレス情報を含む全てのＭＩＢ情報を取得しておいても良い。
【００４９】
次に、ステップＳ０７で、二次元コード内のＭＡＣアドレスとＭＦＰ２のＭＩＢ情報から取得したＭＡＣアドレスが一致しているかどうかを判断する。ＭＡＣアドレスが一致している場合（ステップＳ０７でＹＥＳ）、二次元コード内のＩＰアドレスは、二次元コードが貼付されていたＭＦＰ２のＩＰアドレスである可能性が高いので、ステップＳ１７に進む。
【００５０】
一方、ステップＳ０７で、ＭＡＣアドレスが一致していない場合（ステップＳ０７でＮＯ）、二次元コード内のＩＰアドレスは、二次元コードが貼付されていたＭＦＰ２のＩＰアドレスでない可能性が高い、つまり二次元コードが貼付されていたＭＦＰ２のＩＰアドレスが変更された可能性が高いので、ステップＳ０８に進む。
【００５１】
ステップＳ０８では、二次元コード内のＩＰアドレスの各桁のうち、ネットワークアドレス部を固定しホスト部を変更した複数のＩＰアドレスのＭＦＰに対して、ユニキャスト接続を行い、各接続先のＭＦＰ２のＭＡＣアドレスを検索する。例えば、ＩＰアドレスが「１９２．１６８．１．ｘｘ」で、上位３桁の「１９２．１６８．１．」がネットワークアドレス部である場合、この部分を固定し、ホスト部の「ｘｘ」を２〜２５４まで変更して順番に接続する。つまり、同一のネットワーク内で、二次元コードに含まれるＭＡＣアドレスに対応するＩＰアドレスのＭＦＰ２を検索する。
【００５２】
そして、ステップＳ０９で、二次元コード内のＭＡＣアドレスと同じＭＡＣアドレスのＭＦＰ２が存在するかどうかを判断する。存在すれば（ステップＳ９でＹＥＳ）、ステップＳ１０に進み、図８に示すように、「二次元コードに含まれる装置のＩＰアドレスが変更されている可能性があります」というメッセージと、二次元コード内のＩＰアドレスと、ステップＳ０８で検索した対応ＭＡＣアドレスを有するＭＦＰ２のＩＰアドレスと、さらに「印刷」ボタン１５４を有する画面Ｄ３を表示部１５に表示したのち、図５のステップＳ１２に進む。前記メッセージにより、ユーザーはＭＦＰ２に現在貼付されている二次元コードの変更の必要性を認識できる。
【００５３】
一方、ステップＳ０９で、二次元コード内のＭＡＣアドレスと同じＭＡＣアドレスのＭＦＰ２が存在しなければ（ステップＳ０９でＮＯ）、ステップＳ１１に進み、図９に示すように「二次元コードに含まれる装置のＩＰアドレスが変更されている可能性があります」というメッセージと二次元コード内のＩＰアドレスのみを有する画面Ｄ４を表示部１５に表示し、処理を終了する。前記メッセージにより、ユーザーはＭＦＰ２に現在貼付されている二次元コードの変更の必要性を認識できる。
【００５４】
ステップＳ１２では、印刷ボタン１５４が押されたかどうかを判断し、押された場合（ステップＳ１２でＹＥＳ）、ステップＳ１３で、二次元コード内のＭＡＣアドレスと該ＭＡＣアドレスを有するＭＦＰ２のＩＰアドレスとを含んだ二次元コードを生成し、生成した二次元コードの印刷ジョブをＭＦＰ２に送信した後、ステップＳ１７に進む。印刷ジョブを受信したＭＦＰ２により二次元コードが印刷されると、ユーザーは現在貼付されている二次元コードに替えて印刷された新たな二次元コードを貼付することができる。これにより、今後、この二次元コードを読み取って、ＭＦＰ２を携帯端末装置１に登録するユーザーは、正しいＭＦＰ２を登録することができる。
【００５５】
ステップＳ１２で印刷ボタン１５４が押されなければ（ステップＳ１２でＮＯ）、そのままステップＳ１７に進む。
【００５６】
ステップＳ１７では、手動入力されたＩＰアドレス、または二次元コード内にＭＡＣアドレスが存在せずＩＰアドレス情報のみが存在する場合のＩＰアドレス、または二次元コード内のＭＡＣアドレスに対応するＩＰアドレス、の各ＭＦＰ２に接続し、図７に示したＭＩＢ情報を取得する。
【００５７】
なお、ステップＳ１３の二次元コードの生成前にＭＩＢ情報を取得し、ＭＩＢ情報のＤＨＣＰ設定がＯＮの場合は、ＩＰアドレスが変更されることから、ＩＰアドレスは含まずＤＮＳ名を含む二次元コードを生成しても良い。また、ＤＨＣＰ設定がＯＦＦの場合は、ＩＰアドレスは固定されているから、ＩＰアドレスを含む二次元コードを生成すればよい。
【００５８】
ＭＩＢ情報の取得後、ＭＩＢ情報に基づいて、ＭＦＰ操作用のアプリケーションの実行によりＭＦＰを自装置から使用可能か否かを判定する。
【００５９】
具体的には、ステップＳ１８で、ＳｙｓＯＩＤで示されるＭＦＰ２の機種が、携帯端末装置１のアプリケーション対応装置と一致しているかどうかを判定する。対応していれば（ステップＳ１８でＹＥＳ）、ステップＳ１９に進み、プリンタ言語はアプリケーションで対応可能な言語か否かを判定する。対応可能な言語であれば（ステップＳ１９でＹＥＳ）、ステップＳ２０に進み、ステータス情報はＭＦＰが使用不可状態であることを示しているかどうかを判定する。使用不可状態の一例としては、例えばサービスマンを呼ぶ必要のある重大なトラブルが発生している状態（サービスマンエラー）を挙げることができる。
【００６０】
ＭＦＰが使用不可状態でなければ（ステップＳ２０でＮＯ）、ＭＦＰ２は携帯端末１からの操作により使用可能であるから、ステップＳ２１で、ＭＩＢ情報の一部であるモデル名情報と装置名情報を表示部１５に表示し、「登録」ボタンを有効にする。なお、ＭＩＢ情報の全てを表示しても良い。
【００６１】
次いで、ステップＳ２２では、登録ボタンが押されるのを待ち（ステップＳ２２でＮＯ）、押されると（ステップＳ２２でＹＥＳ）、ステップＳ２３で、そのＭＦＰ２を登録する。
【００６２】
一方、アプリケーション対応装置でない場合（ステップＳ１８でＮＯ）、アプリケーションで対応可能なプリンタ言語でない場合（ステップＳ１９でＮＯ）、ステータス情報が使用不可状態を示している場合（ステップＳ２０でＹＥＳ）、いずれもステップＳ２４で、「対応装置ではありません」というエラーメッセージを表示部１５に表示し、処理を終了する。従ってこの場合、ＭＦＰの登録はなされない。
【００６３】
なお、オプション情報からＭＦＰ２の印刷やスキャンが可能か否かを判定し、可能でない場合は登録を行わない構成としても良い。
【００６４】
このように、この実施形態では、携帯端末装置１は自装置にインストールされたＭＦＰ操作用のアプリケーションの実行によりＭＦＰ２を自装置から使用可能か否かを、取得したＭＩＢ情報に基づいて判断し、使用可能な場合に該ＭＦＰを登録する一方、ＭＦＰ２が前記アプリケーションに対応していない機種であったり故障している場合には、取得したＭＩＢ情報からＭＦＰ２を使用できないと判断して、携帯端末装置１への登録は行わないから、使用できないＭＦＰ２を登録してしまう不都合を回避することができる。
【００６５】
また、この実施形態では、図４のステップＳ１５でユーザーによりＩＰアドレスが入力された後のステップＳ１７以降の処理、つまりＭＦＰ２への接続、ＭＩＢ情報の取得、ＭＦＰ２を自装置から使用可能か否かのＭＩＢ情報に基づく判定、使用可能な場合のＭＦＰ２の登録、の各処理は、二次元コードが撮影等により取得された場合の処理経路と同じ処理経路で実行されるから、これらの処理を実行するハードウェアあるいは処理を実行するためのプログラムを共通のモジュールとして構成でき、手動入力の場合と撮影入力の場合とで別々のモジュールを用意する必要はない。このため、その分携帯端末装置１の構成を簡素化できる。
【００６６】
以上、本発明の一実施形態を説明したが、本発明は上記実施形態に限定されることはない。
【００６７】
例えば、図４のフローチャートにおけるステップＳ１４及びステップＳ１５のＩＰアドレス入力欄の表示及びユーザーによる入力操作、図５のステップＳ１２の印刷するかどうかのユーザー選択操作、さらにはステップＳ２２の登録するかどうかのユーザー選択操作等のユーザーの操作を省略することにより、ステップＳ０２での二次元コードの取得から、ステップＳ２２のＭＦＰ２の登録までの処理をユーザー操作を介在することなく自動で行う構成にして、操作性の向上を図っても良い。
【符号の説明】
【００６８】
１      携帯端末装置
２      画像処理装置
１１    ＣＰＵ
１２    ＲＯＭ
１３    ＲＡＭ
１４    記憶部
１５    表示部
１６    タッチパネル
１８    撮像部
【図１】
0005888300.tif 000002
【図２】
0005888300.tif 000003
【図３】
0005888300.tif 000004
【図４】
0005888300.tif 000005
【図５】
0005888300.tif 000006
【図６】
0005888300.tif 000007
【図７】
0005888300.tif 000008
【図８】
0005888300.tif 000009
【図９】
0005888300.tif 000010